(57)【要約】【課題】着用者の体液排泄部に当接される排泄部領域に断面略円状の中空のループ形状の防漏壁を形成し、着用者へのフィット性を高め、ヨレ防止、漏れ防止性を高めることができる吸収性物品を提供すること。【解決手段】本発明の生理用ナプキン１Ａは、表面シート２、裏面シート３及び吸収体４を具備する吸収性本体５と、その長手方向両側部５ａに中空のループ状の防漏壁７とを備えている。防漏壁７は、排泄部領域ａにおいて、中空のループ状をなして起立している。防漏壁７は、ループ状をなしている部分の前方及び後方の少なくとも一方において、ループ状の防漏壁７の一部を生理用ナプキン１Ａの幅方向の外方側ｅ及び/又は内方側ｄから防漏壁７の内方に折り込まれた折り込み部７１，７２を有している。【選択図】図３
2010042060.tif 000002
【特許請求の範囲】
【請求項１】
肌当接面側に配置された表面シート、非肌当接面側に配置された裏面シート及び両シート間に介在する吸収体を具備する縦長の吸収性本体と、該吸収性本体の長手方向両側部に形成された防漏壁とを備えた吸収性物品であって、
前記防漏壁それぞれは、伸縮性シートの長手方向の一側部及び他側部を前記吸収性本体に接合部で接合するとともに、排泄部領域の前方及び後方において該伸縮性シートを該吸収性本体に接合して形成され、排泄部領域において、中空のループ状をなして起立しており、
前記排泄部領域におけるループ状の前記防漏壁それぞれの前記接合部は、前記吸収性本体の長手方向の側部における肌当接面側に前記伸縮性シートの前記一側部が接合され、前記吸収性本体の長手方向の側部における非肌当接面側に前記伸縮性シートの前記他側部が接合されてなり、
前記防漏壁それぞれは、ループ状をなしている部分の前方及び後方の少なくとも一方において、ループ状の前記防漏壁の一部を前記吸収性物品の幅方向の外方側及び/又は内方側から該防漏壁の内方に折り込まれた折り込み部を有する吸収性物品。
【請求項２】
前記折り込み部は、ループ状の前記防漏壁の一部を前記吸収性物品の幅方向の外方側及び内方側から該防漏壁の内方に折り込まれて形成されている請求項１に記載の吸収性物品。
【請求項３】
前記折り込み部は、内方に折り込まれた折込み部の先端に弾性部材を有している請求項１又は２に記載の吸収性物品。
【発明の詳細な説明】
【技術分野】
【０００１】
本発明は、生理用ナプキンや失禁パッド等の吸収性物品に関する。
【背景技術】
【０００２】
従来、着用中の経血等の体液が幅方向に移動して側縁部から漏れてしまう横漏れを防止するため、長手方向両側縁部それぞれに防漏壁を設けた生理用ナプキンが知られている。
また、防漏壁の着用者へのフィット性を高める為に、中空のループ形状の防漏壁が知られている。例えば、引用文献１には、フィット性が高く、着用者の足の動き等の左右からの応力がかかった場合においても、中空のループ形状で緩衝し、生理用ナプキンにヨレを発生させず、漏れ防止性の高い中空のループ形状の防漏壁を備えた生理用ナプキンが開示されている。
【０００３】
近年、特に夜用の生理用ナプキンにおいて、生理用ナプキンの長さが長くなる傾向にあり、生理用ナプキンの長さと共に、防漏壁も長くなっている。防漏壁が長くなると、着用者の体液排泄部に当接される排泄部領域に位置する両側縁部の中空の防漏壁を、断面略円状のループ形状に起立させることが困難となる。
【０００４】
【特許文献１】特開平１１−２９９８２１号公報
【発明の開示】
【発明が解決しようとする課題】
【０００５】
従って、本発明の目的は、着用者の体液排泄部に当接される排泄部領域に位置する両側縁部の中空の防漏壁を、容易に断面略円状のループ形状に起立させることができ、防漏壁の形状が断面略円状のループ形状であるため、着用者へのフィット性を高め、ヨレ防止、漏れ防止性に優れた吸収性物品を提供することにある。
【課題を解決するための手段】
【０００６】
本発明は、肌当接面側に配置された表面シート、非肌当接面側に配置された裏面シート及び両シート間に介在する吸収体を具備する縦長の吸収性本体と、該吸収性本体の長手方向両側部に形成された防漏壁とを備えた吸収性物品であって、前記防漏壁それぞれは、伸縮性シートの長手方向の一側部及び他側部を前記吸収性本体に接合部で接合するとともに、排泄部領域の前方及び後方において該伸縮性シートを該吸収性本体に接合して形成され、排泄部領域において、中空のループ状をなして起立しており、前記排泄部領域におけるループ状の前記防漏壁それぞれの前記接合部は、前記吸収性本体の長手方向の側部における肌当接面側に前記伸縮性シートの前記一側部が接合され、前記吸収性本体の長手方向の側部における非肌当接面側に前記伸縮性シートの前記他側部が接合されてなり、前記防漏壁それぞれは、ループ状をなしている部分の前方及び後方の少なくとも一方において、ループ状の前記防漏壁の一部を前記吸収性物品の幅方向の外方側及び/又は内方側から該防漏壁の内方に折り込まれた折り込み部を有する吸収性物品を提供することにより前記目的を達成したものである。
【発明の効果】
【０００７】
本発明の吸収性物品によれば、着用者の体液排泄部に当接される排泄部領域に断面略円状の中空のループ形状の防漏壁を形成できるので、着用者へのフィット性を高め、ヨレ防止、漏れ防止性を高めることができる。
【発明を実施するための最良の形態】
【０００８】
以下、本発明の吸収性物品である生理用ナプキンの好ましい一実施形態について、図１〜図３に基づいて説明する。
【０００９】
第１実施形態の生理用ナプキン１Ａは、図１に示すように、生理用ナプキン１Ａの長手方向に延びる中心線ＣＬに対して左右対称に形成されている。
従って、以下には、主として生理用ナプキン１Ａの左側の構成について詳述し、右側の構成については、適宜説明を省略し、左側の構成要素に対応する右側の構成要素は、符号にダッシュ(’)を付してある。
【００１０】
第１実施形態の吸収性物品（生理用ナプキン）１Ａは、図１〜図３に示すように、肌当接面側の表面シート２、肌非当接面側の裏面シート３及び両シート２，３間に介在する吸収体４を具備する実質的に縦長の吸収性本体５と、該吸収性本体５の長手方向両側部５ａ，５ａ’に形成された防漏壁７，７’とを備えている。
防漏壁７，７’それぞれは、図１，図２に示すように、伸縮性シート６，６’の長手方向の一側部６ａ及び他側部６ｂを吸収性本体５に接合部８，８Ｄで接合するとともに、排泄部領域ａの前方及び後方において伸縮性シート６，６’を吸収性本体５に接合して形成され、排泄部領域ａにおいて、中空のループ状をなして起立している。
排泄部領域ａにおけるループ状の防漏壁７，７’それぞれの接合部８は、図２に示すように、吸収性本体５の長手方向（ＣＬ方向；ＣＬ線と平行な方向）の側部５ａにおける肌当接面側に、伸縮性シート６，６’の一側部６ａが接合されて形成されている。ループ状の防漏壁７，７’それぞれの接合部８Ｄは、吸収性本体５の長手方向（ＣＬ方向）の側部５ａにおける非肌当接面側に、伸縮性シート６，６’の他側部６ｂが接合されて形成されている。
防漏壁７，７’それぞれは、図３（ａ）に示すように、ループ状をなしている部分の前方及び後方の少なくとも一方において、ループ状の防漏壁７，７’の一部を生理用ナプキン１Ａの幅方向の外方側ｅ及び/又は内方側ｄから防漏壁７，７’の内方に折り込まれた折り込み部７１，７２，７１’７２’を有している。
【００１１】
ここで、「排泄部領域ａ」とは、装着者の体液排泄部に当接される領域を意味し、生理用ナプキンが個装形態に折り畳まれた際に生じる製品長手方向（ＣＬ方向）に直交する２つの折線について、生理用ナプキンの長手方向の前端から数えて第１折線と第２折線とに囲まれた領域と同じか又は狭い領域を言う。また、生理用ナプキンの製品長が長く３つの折線が生じる場合には、製品の長手方向の前端から数えて第１折線と第２折線に囲まれた領域あるいは製品の長手方向の前端から数えて第１折線と第３折線とに囲まれた領域と同じか又は狭い領域を言う。本実施形態の生理用ナプキン１Ａにおける排泄部領域ａは、図１に示すように、いわゆる２つ折の個装形態の際に生じる第１折線ａ１と第２折線ａ２とに囲まれた領域より狭い領域である。
【００１２】
また、「起立」とは、中空のループ状の防漏壁７，７’の上面が表面シート２の表面よりも上方に位置する状態を意味し、「凸に起立」とは、防漏壁７，７’の最も上方に位置する部位が、表面シート２の表面よりも上方に位置する状態を意味する。
【００１３】
第１実施形態の生理用ナプキン１Ａについて、詳述すると、本実施形態の生理用ナプキン１Ａは、図１に示すように、その長手方向（ＣＬ方向）に、装着者の体液排泄部に当接される排泄部領域ａの後方に後方領域ｂ、排泄部領域ａ、排泄部領域ａの前方に前方領域ｃを備えている。防漏壁７は、少なくとも排泄部領域ａにおいて、ループ状をなして起立している。このように、防漏壁７のループ状をなして起立している部分は、排泄部領域ａよりも、長手方向（ＣＬ方向）に広い領域であり、本実施形態の生理用ナプキン１Ａにおいては、いわゆる２つ折の個装形態の際に生じる第１折線ａ１と第２折線ａ２とに囲まれた領域と略同じ大きさの領域である。第１実施形態の生理用ナプキン１Ａは、図１〜図３に示すように、表面シート２、裏面シート３及び吸収体４を具備し、表面シート２と吸収体４とを固定する一対のエンボス溝９を具備している。エンボス溝９は、生理用ナプキン１Ａの両側部に、長手方向に延びて延在している。表面シート２及び裏面シート３それぞれは、吸収体４よりも大きい外径寸法を有している。表面シート２及び裏面シート３は、生理用ナプキン１Ａの長手方向の両端部において、吸収体４の長手方向の両端部から延出し、その延出部は互いにヒートシール等により接合されて吸収性本体５を形成している。裏面シート３の表面には、粘着剤が塗布されてズレ止め部（不図示）が形成されている。これらの構成は、従来品と同じである。
【００１４】
次いで、本実施形態の生理用ナプキン１Ａのループ状の防漏壁７について説明する。
第１実施形態の生理用ナプキン１Ａでは、図１〜図３に示すように、帯状の伸縮シート６が、吸収性本体５の長手方向（ＣＬ方向）の側部５ａに、長手方向に沿って、配設及び固定されており、伸縮シート６の収縮により、肌当接面側に凸に起立したの中空のループ状の防漏壁７が形成される。
【００１５】
上記伸縮シート６は、第１実施形態の生理用ナプキン１Ａにおいては、弾性部材６３により伸縮性が付与された複合シートである。伸縮シート６は、図２及び図３に示すように、肌当接面側のシート６１と、非肌当接面側のシート６２と、それらのシート６１，６２間に、複数本の弾性部材６３を配置して形成されている。肌当接面側のシート６１と、非肌当接面側のシート６２とは、同形同大の帯状（長方形状）のシートであり、上記伸縮シート６は、肌当接面側のシート６１と非肌当接面側のシート６２との間に、糸状の弾性部材６３を、シート６１，６２の長手方向（ＣＬ方向）に配置し、複数本の弾性部材６３それぞれを、帯状のシート６１，６２の幅方向（ＣＬ方向と直交方向）に均等に配置して形成されている。複数本の弾性部材６３それぞれは、図１に示すように、防漏壁７を形成した際、装着者の体液排泄部に当接される排泄部領域ａより長く配置されている。
【００１６】
上記伸縮シート６は、図２及び図３に示すように、表面シート２及び吸収体４を挟持するように、伸縮シート６の長手方向の一側部６ａの肌当接面側のシート６１の表面が、表面シート２の肌当接面側の表面に接合されて接合部８を形成している。また、伸縮シート６の長手方向の他側部６ｂは、吸収体４と裏面シート３との間に配され、他側部６ｂの非肌当接面側のシート６２の表面が、吸収体４の非肌当接面側の表面に接合されて接合部８Ｄを形成している。また、排泄部領域ａの前方の前方領域ｃ及び後方の後方領域ｂにおいて、伸縮性シート６は吸収性本体５に接合されている部分を有している。このように、帯状の伸縮シート６を、吸収性本体５の長手方向（ＣＬ方向）の側部５ａに、長手方向に沿って、配設及び接合しているため、伸縮シート６が収縮することにより、中空のループ状に起立した部分を有する防漏壁７が形成される。接合は、ヒートシールや接着剤等により行うことができる。第１実施形態においては、接合部８はヒートシールにより形成されており、伸縮シート６の非肌当接面側のシート６２と吸収体４との接合は、接着剤により行われている。また、第１実施形態においては、表面シート２と吸収体４との接合は、接着剤により行われ、伸縮シート６の肌当接面側のシート６１と裏面シート３との接合（接合部８Ｄ）は、ヒートシールにより行われている。
【００１７】
上記防漏壁７は、図１に示すように、ループ状をなしている部分の前方及び後方の少なくとも一方、本実施形態においては、図３に示すように、２つ折の個装形態の際に生じる第１折線ａ１の部分と第２折線ａ２の部分それぞれに折り込み部７ａ１，７ａ２を備えている。折り込み部７ａ１，７ａ２それぞれは、図３（ａ）に示すように、ループ状の前記防漏壁７の一部を、生理用ナプキン１Ａの幅方向（長手方向中心線ＣＬと直交方向）の内方側ｄから防漏壁７の内方に折り込まれて形成した内方側折込み部７１を有している。更に、外方側ｅから防漏壁７の内方に折り込まれて形成した外方側折込み部７２を有している。内方側折込み部７１の肌当接面側のシート６１の表面同士は、図３（ａ）に示すように、接合されている。接合は、ヒートシールや接着剤等を介して行うことができ、第１実施形態においては、接着剤により接合されている。外方側折込み部７２の肌当接面側のシート６１の表面同士も、同様に接合されている。また、内方側折込み部７１及び外方側折込み部７２の先端には、図３（ａ）に示すように、弾性部材６３をそれぞれ配置している。弾性部材６３を配置することにより、可撓軸となり、防漏壁７を折込み易くなる。
第１実施形態の生理用ナプキン１Ａの防漏壁７では、図３（ａ）に示すように、内方側折込み部７１より、外方側折込み部７２の方が、折込みが長く形成されている。
【００１８】
第１実施形態の生理用ナプキン１Ａの長さは、好ましくは、２４０ｍｍ〜４４０ｍｍであり、２つ折の個装形態の際に生じる第１折線ａ１の部分と第２折線ａ２の部分に形成された折り込み部７ａ１，７ａ２の間の距離（長手方向（ＣＬ方向）の長さ）は、生理用ナプキン１Ａの長さに対して、２％〜６０％の範囲の長さである。
第１実施形態の生理用ナプキン１Ａの防漏壁７の内方側折込み部７１の幅方向（長手方向中心線ＣＬと直交方向）の長さは、好ましくは、２ｍｍ〜１５ｍｍであり、外方側折込み部７２の幅方向（長手方向中心線ＣＬと直交方向）の長さは、好ましくは、３ｍｍ〜１５ｍｍである。
【００１９】
上記防漏壁７は、図１及び図３（ａ）に示すように、折り込み部７ａ１，７ａ２においては、伸縮シート６と前記吸収性本体５との接合部８より生理用ナプキン１Ａの幅方向（長手方向中心線ＣＬと直交方向）外方に位置している。ここで、接合部８より幅方向の外方に位置しているとは、図３（ａ）に示すように、防漏壁７を内方側に折込むことにより形成される内方側折込み部７１の肌当接面側の下端部７１ａが、内方側折込み部７１の非肌当接面側の下端部７１ｂ（接合部８の長手方向の内側の側縁部８ａ）より、生理用ナプキン１Ａの幅方向（長手方向中心線ＣＬと直交方向）外方に位置していることを言い、肌当接面側の下端部７１ａが、接合部８の長手方向の外側の側縁部８ｂより、生理用ナプキン１Ａの幅方向の外方に位置する必要はない。
【００２０】
上記防漏壁７を形成する複合シートは、図１及び図３（ｂ）に示すように、防漏壁７のループ状をなしている部分の前方及び後方、本実施形態においては、２つ折の個装形態の際に生じる第１折線ａ１の部分の前方と第２折線ａ２の部分の後方においては、弾性部材６３が配置されておらず、伸縮性シート６を形成していない。複合シートを形成する肌当接面側のシート６１及び非肌当接面側のシート６２は、弾性部材６３が配置されていない領域において、図１，図３（ｂ）に示すように、肌当接面側に凸に起立したの中空のループ状の防漏壁７を形成しないように、積極的に折り曲げられている。防漏壁７を形成する複合シートは、生理用ナプキン１の長手方向の両端部においては、表面シート２及び裏面シート３と同様に、吸収体４の長手方向の両端部から延出し、その延出部はヒートシールまたはホットメルト等により接合固定されている。
【００２１】
第１実施形態の生理用ナプキン１Ａの形成材料について説明する。
上記表面シート２、上記裏面シート３及び上記吸収体４としては、通常、生理用ナプキン等の吸収性物品に用いられるものであれば、特に制限なく用いることができる。
【００２２】
上記伸縮シート６としては、伸縮性を有し、少なくとも排泄部領域ａにおいてループ形状に起立すると共に、このループ形状を保ちながら違和感がなく自在に変形する剛性を持つことが好ましい。例えば、シート材料としては、伸縮性のフィルム、伸縮性の不織布、伸縮性の織物又はそれらの積層シート等が挙げられる。具体的には、天然ゴム、ポリウレタン、ポリスチレン−ポリイソプレン共重合体、ポリスチレン−ポリブタジエン共重合体、ポリエチレン−アクリル酸エチル等のポリエチレン−αオレフィン共重合体等からなる材自体が伸縮性を有する材料や、上述したような、これら伸縮性の材料を糸状にした弾性部材６３を肌当接面側のシート６１と非肌当接面側のシート６２との間に配置した複合シートが挙げられる。
【００２３】
上記伸縮シート６の肌当接面側のシート６１としては、肌触りを良好にするため、ポリエチレン／ポリエステル、ポリエチレン／ポリプロピレン、ポリプロピレンからなる熱可塑性不織布であることが好ましい。非肌当接面側のシート６２も同様である。この様な熱可塑性不織布は、不織布自体が伸縮性を有するように、クリンプ加工した繊維を用いることが好ましい。クリンプ加工されていない繊維による伸縮し難い不織布を肌当接面側のシート６１及び非肌当接面側のシート６２に使用する場合には、あらかじめ糸状の弾性部材６３を所定の伸張率まで伸張し、それを肌当接面側のシート６１及び非肌当接面側のシート６２に、ホットメルトやヒートシール等によって接着することによって、複合シートを作成しても良い。
【００２４】
上記伸縮シート６の複数本の弾性部材６３それぞれは、肌当接面側のシート６１と非肌当接面側のシート６２との間に、等間隔で配置している。
防漏壁７，７’の内方側折込み部７１，７１’の先端及び外方側折込み部７２，７２’の先端に弾性部材６３をそれぞれ配置するためには、他の位置の弾性部材６３よりも、先端の弾性部材６３の弾性収縮率を高く設定することにより配置できる。また、先端の弾性部材６３を他の位置の弾性部材６３より太く（弾性収縮力を強く）することにより配置できる。
【００２５】
また、前記伸縮シート６には色が付与されていても良く、色は該伸縮シート６の肌当接面側のシート６１、非肌当接面側のシート６１、弾性部材６３のいずれかにまたは全てに付与されていても良い。
【００２６】
次に上述した本発明の第１実施形態の生理用ナプキン１Ａを使用した際の作用効果について説明する。
第１実施形態の生理用ナプキン１Ａは、図１〜図３に示すように、一対の防漏壁７，７’を備えており、一対の防漏壁７，７’それぞれは、２つ折の個装形態の際に生じる第１折線ａ１の部分と第２折線ａ２の部分それぞれに、折り込み部７ａ１，７ａ２，７ａ１’，７ａ２’を有している。そのため、伸縮シート６，６’が収縮すると、少なくとも排泄部領域ａに位置する一対の中空の防漏壁７，７’は、図２に示すように、断面略円状のループ形状に起立する。少なくとも排泄部領域ａに位置する一対の中空の防漏壁７，７’が、断面略円状のループ状に起立することにより、着用者へのフィット性が向上し、着用者の足の動き等の左右からの応力がかかった場合においても、中空のループ形状で緩衝し、生理用ナプキン１Ａにヨレを発生しない。その為、生理用ナプキン１Ａは、漏れ防止性の高いナプキンとなる。
【００２７】
また、第１実施形態の生理用ナプキン１Ａのループ状の前記防漏壁７，７’は、排泄部領域ａの長手方向両端部ａ１，ａ２それぞれに、外方側折込み部７２を有しているため、排泄部領域ａに位置する一対の中空の防漏壁７，７’は、内側に倒れ難く、中空のループ形状を安定して維持することができる。
【００２８】
また、第１実施形態の生理用ナプキン１Ａのループ状の前記防漏壁７，７’は、排泄部領域ａの長手方向両端部ａ１，ａ２それぞれに、内方側折込み部７１を有しているため、生理用ナプキン１Ａの使用後に平面視した場合、防漏壁７，７’によって、体液による防漏壁７，７’の汚れを遮蔽できるので、生理用ナプキン１Ａの使用感が向上する。
また、第１実施形態の生理用ナプキン１Ａのループ状の前記防漏壁７，７’は、内方側折込み部７１を有しているため、排泄部領域ａに位置する一対の中空の防漏壁７，７’の起立性が向上したような安心感を与える。また、伸縮性シート６が着色されていると、伸縮シート６の形状が認識されやすくなるためより起立の印象性を向上することができる。
第１実施形態の生理用ナプキン１Ａの防漏壁７では、図３（ａ）に示すように、内方側折込み部７１より、外方側折込み部７２の方が、折込みが長く形成されているため、排泄部領域で着用者の足の動きにより応力がかかった場合にも防漏壁が吸収体上に倒れこみにくく、吸収面を広く確保維持できる。
【００２９】
また、第１実施形態の生理用ナプキン１Ａの内方側折込み部７１の先端及び外方側折込み部７２の先端の何れにも、図３（ａ）に示すように、弾性部材６３をそれぞれ有しているため、弾性部材６３が可撓軸になり、防漏壁７，７’は、排泄部領域ａの長手方向両端部ａ１，ａ２それぞれにおいて、内方側及び外方側に容易に折込まれて形成される。
【００３０】
また、第１実施形態の生理用ナプキン１Ａの防漏壁７，７’それぞれは、図１及び図３（ａ）に示すように、前記折り込み部７ａ１，７ａ２，７ａ１’，７ａ２’においては、前記伸縮シート６，６’と前記吸収性本体５との接合部８より幅方向（長手方向中心線ＣＬと直交方向）外方に位置しているため、排泄部領域で着用者の足の動きにより応力がかかった場合、左右方向からの応力に対してループ形状の緩衝能力が高く、さらに防漏壁の吸収体上への倒れ込みが抑制できる。
【００３１】
また、第１実施形態の生理用ナプキン１Ａの防漏壁７，７’それぞれは、図３（ａ）及び図３（ｂ）に示すように、排泄領域後方ｂにおいては吸収体４と離間し、空間を形成していることから、吸収体４に吸収された液が防漏壁７，７’を介して滲み出さない。
【００３２】
さらには、吸収体４の裏面において伸縮シート６との接合点よりも幅方向（ＣＬ方向と直交方向）外側において裏面シート３と伸縮シート６とが接合されていても良い。
【００３３】
次に、本発明の第２実施形態の生理用ナプキンについて、図４に基づいて説明する。
第２実施形態の生理用ナプキン１Ｂについては、第１実施形態の生理用ナプキン１Ａと異なる点について説明する。特に説明しない点は、第１実施形態の生理用ナプキン１Ａと同様であり、第１実施形態の生理用ナプキン１Ａの説明が適宜適用される。
【００３４】
第２実施形態の生理用ナプキン１Ｂの防漏壁７は、図１に示すように、２つ折の個装形態の際に生じる第１折線ａ１の部分と第２折線ａ２の部分それぞれに折り込み部７ａ１，７ａ２を備えている。折り込み部７ａ１，７ａ２それぞれは、図４に示すように、ループ状の前記防漏壁７の一部を生理用ナプキン１Ｂの幅方向（長手方向中心線ＣＬと直交方向）の内方側ｄから防漏壁７の内方に折り込まれて形成した内方側折込み部７１を有している。内方側折込み部７１の肌当接面側のシート６１の表面同士は、図４に示すように、接着剤により接合されている。内方側折込み部７１の先端には、図４に示すように、弾性部材６３をそれぞれ配置している。
【００３５】
上記防漏壁７は、図１及び図４に示すように、折り込み部７ａ１，７ａ２においては、伸縮シート６と前記吸収性本体５との接合部８より生理用ナプキン１Ａの幅方向（長手方向中心線ＣＬと直交方向）外方に位置している。図４に示すように、防漏壁７を内方側に折込むことにより形成される内方側折込み部７１の肌当接面側の下端部７１ａは、内方側折込み部７１の非肌当接面側の下端部７１ｂ（接合部８の長手方向の内側の側縁部８ａ）より、生理用ナプキン１Ａの幅方向（長手方向中心線ＣＬと直交方向）外方に位置している。
【００３６】
次に上述した本発明の第２実施形態の生理用ナプキンを使用した際の作用効果について説明する。
第２実施形態の生理用ナプキン１Ｂは、図４に示すように、一対の防漏壁７，７’を備えており、一対の防漏壁７，７’それぞれは、２つ折の個装形態の際に生じる第１折線ａ１の部分と第２折線ａ２の部分それぞれに、折り込み部７ａ１，７ａ２，７ａ１’，７ａ２’を有している。そのため、伸縮シート６，６’が収縮すると、少なくとも排泄部領域ａに位置する一対の中空の防漏壁７，７’は、図２に示すように、断面略円状のループ形状に起立する。
従って、第２実施形態の生理用ナプキン１Ｂは、第１実施形態の生理用ナプキン１Ａと同様に、着用者へのフィット性を高め、ヨレ防止、漏れ防止性を高めることができる。
【００３７】
また、第２実施形態の生理用ナプキン１Ｂのループ状の前記防漏壁７，７’は、２つ折の個装形態の際に生じる第１折線ａ１の部分と第２折線ａ２の部分それぞれに、内方側折込み部７１を有しているため、生理用ナプキン１Ｂの使用後に平面視した場合、防漏壁７，７’によって、体液による防漏壁７，７’の汚れを遮蔽できるので、生理用ナプキン１Ｂの使用感が向上する。
また、第２実施形態の生理用ナプキン１Ｂのループ状の前記防漏壁７，７’は、内方側折込み部７１を有しているため、排泄部領域ａに位置する一対の中空の防漏壁７，７’の起立性が向上したような安心感を与えることができる。
【００３８】
次に、本発明の第３実施形態の生理用ナプキン１Ｃについて、図５に基づいて説明する。
第３実施形態の生理用ナプキン１Ｃについては、第１実施形態の生理用ナプキン１Ａと異なる点について説明する。特に説明しない点は、第１実施形態の生理用ナプキン１Ａと同様であり、第１実施形態の生理用ナプキン１Ａの説明が適宜適用される。
【００３９】
第３実施形態の生理用ナプキン１Ｃの上記防漏壁７は、図１に示すように、２つ折の個装形態の際に生じる第１折線ａ１の部分と第２折線ａ２の部分それぞれに、折り込み部７ａ１，７ａ２を備えている。折り込み部７ａ１，７ａ２それぞれは、図５に示すように、ループ状の前記防漏壁７の一部を生理用ナプキン１Ｃの幅方向（長手方向中心線ＣＬと直交方向）の外方側ｅから防漏壁７の内方に折り込まれて形成した外方側折込み部７２を有している。外方側折込み部７２の肌当接面側のシート６１の表面同士は、図５に示すように、接着剤により接合されている。外方側折込み部７２の先端には、図５に示すように、弾性部材６３をそれぞれ配置している。
【００４０】
上記防漏壁７は、図１及び図５に示すように、折り込み部７ａ１，７ａ２においては、伸縮シート６と前記吸収性本体５との接合部８より生理用ナプキン１Ａの幅方向（長手方向中心線ＣＬと直交方向）外方に位置している。ここで、接合部８より幅方向の外方に位置しているとは、図５に示すように、防漏壁７が、接合部８の長手方向の内側の側縁部８ａより、生理用ナプキン１Ａの幅方向（長手方向中心線ＣＬと直交方向）外方に位置していることを言う。
【００４１】
次に上述した本発明の第３実施形態の生理用ナプキンを使用した際の作用効果について説明する。
第３実施形態の生理用ナプキン１Ｃは、図５に示すように、一対の防漏壁７，７’を備えており、一対の防漏壁７，７’それぞれは、２つ折の個装形態の際に生じる第１折線ａ１の部分と第２折線ａ２の部分それぞれに、折り込み部７ａ１，７ａ２，７ａ１’，７ａ２’を有している。そのため、伸縮シート６，６’が収縮すると、少なくとも排泄部領域ａに位置する一対の中空の防漏壁７，７’は、図２に示すように、断面略円状のループ形状に起立する。
従って、第３実施形態の生理用ナプキン１Ｃは、第１実施形態の生理用ナプキン１Ａと同様に、着用者へのフィット性を高め、ヨレ防止、漏れ防止性を高めることができる。
【００４２】
また、第３実施形態の生理用ナプキン１Ｃのループ状の前記防漏壁７，７’は、２つ折の個装形態の際に生じる第１折線ａ１の部分と第２折線ａ２の部分それぞれに、外方側折込み部７２を有しているため、排泄部領域ａに位置する一対の中空の防漏壁７，７’は、内側に倒れ難く、中空のループ形状を安定して維持することができる。
【００４３】
本発明の吸収性物品は、上述の第１〜第３実施形態の生理用ナプキンに何ら制限されるものではなく、適宜変更可能である。また、上述の第１〜第３実施形態の生理用ナプキンにおける各構成要件は、本発明の趣旨を損なわない範囲で、適宜組み合わせて実施できる。
【００４４】
例えば、上述の第１〜第３実施形態の生理用ナプキン１Ａ，１Ｂ，１Ｃにおいては、防漏壁７を形成する伸縮シート６は、図２に示すように、伸縮シート６の長手方向の一側部６ａの肌当接面側のシート６１の表面が、表面シート２の肌当接面側の表面に接合しているが、図６に示すように、伸縮シート６の長手方向の一側部６ａの非肌当接面側のシート６２の表面が、表面シート２の肌当接面側の表面に接合していても良い。
【００４５】
また、上述の第１〜第３実施形態の生理用ナプキン１Ａ，１Ｂ，１Ｃにおいては、裏面シート３の表面に粘着剤を設け、ズレを止めているが、裏面シート３側にウイングを設け、これにより装着固定を容易なものとしても良い。
【００４６】
また、上述の第１〜第３実施形態の生理用ナプキン１Ａ，１Ｂ，１Ｃにおいては、内方側折込み部７１の先端又は外方側折込み部７２の先端に、弾性部材６３をそれぞれ配置しているが、弾性部材６３を配置していなくても良い。
【００４７】
また、上述の第１〜第３実施形態の生理用ナプキン１Ａ，１Ｂ，１Ｃにおいては、表面シート２と裏面シート３とが吸収体４の幅方向の両端から延出しておらず、伸縮シート６の長手方向の他側部６ｂにおける非肌当接面側のシート６２の表面が、吸収体４の非肌当接面側の表面に接合されているが、表面シート２と裏面シート３とが吸収体４の幅方向の両端から延出し接合されており、他側部６ｂにおける非肌当接面側のシート６２の表面が、延出した部分の表面シート２の肌当接面側の表面に接合されていても良い。
【００４８】
また、上述の第１〜第３実施形態の生理用ナプキン１Ａ，１Ｂ，１Ｃにおいては、折り込まれて形成した折込み部７１、７２を有している。折込み部７１、７２の肌当接面側のシート６１の表面同士は、図３（ａ）、図４、図５に示すように、接着剤により接合されているが、接着剤により接合されてなくても、製品前後端部にてヒートシール又はホットメルト等により接合されていても良い。
【００４９】
本発明の吸収性物品は、生理用ナプキン以外にも、例えば、使い捨ておむつ、失禁者用パッド、パンティーライナー等に好適に用いることができる。
【図面の簡単な説明】
【００５０】
【図１】本発明の第１実施形態である生理用ナプキンの斜視図である。
【図２】図１に示す生理用ナプキンのＸ１−Ｘ１線断面図である。
【図３】（ａ）図１に示す生理用ナプキンのＸ２−Ｘ２線断面図である。（ｂ）図１に示す生理用ナプキンのＸ３−Ｘ３線断面図である。
【図４】本発明の第２実施形態である生理用ナプキンのＸ２−Ｘ２線断面図である。
【図５】本発明の第３実施形態である生理用ナプキンのＸ２−Ｘ２線断面図である。
【図６】本発明のその他の実施形態である生理用ナプキンのＸ１−Ｘ１線断面図である。
【符号の説明】
【００５１】
１Ａ，１Ｂ，１Ｃ  生理用ナプキン
２  表面シート
３  裏面シート
４  吸収体
５  吸収性本体
５ａ，５ａ’  吸収性本体の長手方向の両側部
６，６’  伸縮シート
６１  肌当接面側のシート
６２  非肌当接面側のシート
６３，６３’  弾性部材
６ａ  一側部
６ｂ  他側部
７，７’  防漏壁
７ａ１，７ａ１’  排泄部領域の後方端部ａ１における折り込み部
７ａ２，７ａ２’  排泄部領域の前方端部ａ２における折り込み部
７１  内方側折込み部
７１ａ  内方側折込み部の肌当接面側の下端部
７１ｂ  内方側折込み部の非肌当接面側の下端部
７２  外方側折込み部
８，８Ｄ  接合部
８ａ  接合部の長手方向の内側の側縁部
８ｂ  接合部の長手方向の外側の側縁部
９  エンボス溝
ａ  排泄部領域
ａ１  排泄部領域の後方端部
ａ２  排泄部領域の前方端部
ｂ  排泄部領域ａの後方の後方領域
ｃ  排泄部領域ａの前方の前方領域
ｄ  内方側
ｅ  外方側
ＣＬ  生理用ナプキンの長手方向に延びる中心線
【図１】
2010042060.tif 000003
【図２】
2010042060.tif 000004
【図３】
2010042060.tif 000005
【図４】
2010042060.tif 000006
【図５】
2010042060.tif 000007
【図６】
2010042060.tif 000008